(57)【要約】【課題】主回路基板とカメラモジュールとの接続に要する部品の削減を図る。【解決手段】主回路基板１に垂直接続型基板対基板接続コネクタのソケット６ａを取付け、ＣＭＯＳカメラモジュール７の基板に基板対基板接続コネクタのプラグ６ｂを取付け、基板対基板接続コネクタを介して主回路基板１にＣＭＯＳカメラモジュール７を接続する。ＣＭＯＳカメラモジュールを主回路基板１へ直接取付けるので、ハーネスやＣＭＯＳカメラモジュール取付けネジが不要となる。【選択図】　図２
2004127644.tif 000002
【特許請求の範囲】
【請求項１】
主回路基板に垂直接続型基板対基板接続コネクタのソケットを取付け、カメラモジュールの基板に前記基板対基板接続コネクタのプラグを取付け、基板対基板接続コネクタを介して主回路基板にカメラモジュールを直接接続するカメラモジュールの取付け方法。
【請求項２】
前記主回路基板のカメラモジュール取付け用ソケットの近傍に位置決め穴を設け、カメラの筐体の内部に前記位置決め穴に対応する位置決めピンを設けて、筐体に対するカメラモジュールの位置決めを行う請求項１記載のカメラモジュールの取付け方法。
【発明の詳細な説明】
【０００１】
【発明の属する技術分野】
この発明は、カメラモジュールの取付け方法に関するものであり、特に、部品点数の削減を図ったカメラモジュールの取付け方法に関するものである。
【０００２】
【従来の技術】
画像通信端末などにＣＭＯＳカメラモジュールを組込むにあたって、従来は筐体内に形成した取付け座にＣＭＯＳカメラモジュールをネジ止めし、同じく筐体内の回路基板とＣＭＯＳカメラモジュールとをＦＰＣ（フレキシブルプリント基板）またはＦＦＣ（フレキシブルフラットケーブル）などのハーネスで接続している。
【０００３】
【発明が解決しようとする課題】
従来は、ＣＭＯＳカメラモジュールを筐体へネジ止めし、回路基板とＣＭＯＳカメラモジュールとをハーネスで接続しているが、ＦＰＣやＦＦＣ及び取付けネジのコストがかかるという問題がある。そこで、ＣＭＯＳカメラモジュールの取付けにかかるコストを節減するために解決すべき技術的課題が生じてくるのであり、本発明は上記課題を解決することを目的とする。
【０００４】
【課題を解決するための手段】
この発明は、上記目的を達成するために提案するものであり、主回路基板に垂直接続型基板対基板接続コネクタのソケットを取付け、カメラモジュールの基板に前記基板対基板接続コネクタのプラグを取付け、基板対基板接続コネクタを介して主回路基板にカメラモジュールを直接接続するカメラモジュールの取付け方法を提供するものである。
【０００５】
また、前記主回路基板のカメラモジュール取付け用ソケットの近傍に位置決め穴を設け、カメラの筐体の内部に前記位置決め穴に対応する位置決めピンを設けて、筐体に対するカメラモジュールの位置決めを行うカメラモジュールの取付け方法を提供するものである。
【０００６】
【発明の実施の形態】
以下、この発明の一実施の形態を図に従って詳述する。図１は、パーソナルネットワークカメラの第一回路基板１と第二回路基板２を示し、それぞれ相手側に対向する面を示している。二枚の回路基板１，　２は両面銅張印刷配線板であって、図示は省略するが両面にＬＳＩやトランジスタ、コンデンサや抵抗などのチップ部品が搭載され、基板のエッジには電源コネクタや各種の入出力コネクタなどが配置される。
【０００７】
第一回路基板１には基板対基板接続コネクタのソケット３ａ，　４ａが取付けられており、第二回路基板２には基板対基板接続コネクタのプラグ３ｂ，　４ｂが取付けられている。ソケット３ａとプラグ３ｂとからなる基板対基板接続コネクタ３は、例えば５０ピンの平行接続型コネクタである。ソケット４ａとプラグ４ｂとからなる基板対基板接続コネクタ４は、例えば８ピンのずれ吸収型コネクタであって、回路基板へ半田付けされる端子部に対して嵌合部が変位できる公知のずれ吸収構造となっている。したがって、基板対基板接続コネクタ３のソケット３ａとプラグ３ｂを嵌合させたときに、基板対基板接続コネクタ４のソケット４ａとプラグ４ｂの相互の位置関係にずれが生じている場合であっても位置ずれが吸収されてソケット４ａとプラグ４ｂが正常に嵌合する。
【０００８】
５はプラスティック製のスペーサであり、左右両面にくさび形のスナップロック爪５ａ，　５ｂが設けられていて、回路基板に形成した穴にスナップロック爪５ａ，　５ｂを押し込めば、穴にスナップロック爪５ａ，　５ｂが係合して回路基板とスペーサが結合される。
【０００９】
第一回路基板１には、垂直接続型の基板対基板接続コネクタ６のソケット６ａが取付けられていて、図２に示すように基板対基板接続コネクタ６のプラグ６ｂ　を取付けたＣＭＯＳカメラモジュール７をソケット６ａに直接装着するようにしている。
【００１０】
図３は、第一回路基板１と第二回路基板２を接続した状態を示し、予め第一回路基板１にスペーサ５とＣＭＯＳカメラモジュール７を取付け、図１に示した面を対向させて基板対基板接続コネクタ３，　４のソケット３ａ，　４ａとプラグ３ｂ，　４ｂを位置合わせし、スペーサ５のスナップロック爪５ｂを第二回路基板２の穴２ａに合わせて第一回路基板１と第二回路基板２を挟圧すれば、ソケット３ａ，　４ａとプラグ３ｂ，　４ｂとが嵌合するとともに、スペーサ５のスナップロック爪５ｂが第二回路基板２の穴２ａに係合して二枚の回路基板１，　２が接続される。接続した二枚の回路基板１，　２は、エッジに形成したネジ穴８を用いて図４に示す筐体９のボス１０へネジ止めする。
【００１１】
斯くして、本発明は、前記垂直接続型の基板対基板接続コネクタ６を介して第一回路基板１にＣＭＯＳカメラモジュール７を直接接続するので、従来例のＦＰＣやＦＦＣなどのハーネスが不要となり、省スペース化が可能となり、且つ、ＦＰＣやＦＦＣなどのハーネスや取付けネジにかかる費用も削減できる。
【００１２】
又、筐体９には、ＣＭＯＳカメラモジュール取付け用のソケット６ａの近傍に基板位置決めピン１１を設けてあり、図１（ａ）に示すように第一回路基板１のソケット６ａの近傍に形成したピン穴１２へ基板位置決めピン１１を挿入することにより、筐体９に対するＣＭＯＳカメラモジュール７の取付け位置が正確に位置決めされ、これによって、ＣＭＯＳカメラモジュールを筐体へネジ止めする従来の取付け方法に劣らない取付け精度が得られる。
【００１３】
尚、この発明は上記の実施形態に限定するものではなく、この発明の技術的範囲内において種々の改変が可能であり、この発明がそれらの改変されたものに及ぶことは当然である。
【００１４】
【発明の効果】
本発明は上記一実施の形態に詳述したように、請求項１記載の発明は、主回路基板に垂直接続型基板対基板接続コネクタのソケットを取付け、カメラモジュールの基板に前記基板対基板接続コネクタのプラグを取付け、基板対基板接続コネクタを介して主回路基板にカメラモジュールを直接接続するので、従来例の如く、カメラモジュールと回路基板の接続にＦＰＣやＦＦＣなどのハーネスを使用する必要がなく、前記垂直接続型基板対基板接続コネクタによってカメラモジュールを接続することにより省スペース化され、ＦＰＣやＦＦＣなどのハーネスや取付けネジにかかる費用も削減できる。
【００１５】
また、請求項２記載の発明は、前記主回路基板のカメラモジュール取付け用ソケットの近傍に位置決め穴を設け、カメラの筐体の内部に前記位置決め穴に対応する位置決めピンを設けて、筐体に対するカメラモジュールの位置決めを行うので、請求項１記載の発明の効果に加え、筐体に対するカメラモジュールの取付け位置が正確に位置決めされ、カメラモジュールを筐体へネジ止めする従来の取付け方法に劣らない取付け精度が得られる等、正に著大なる効果を奏する発明である。
【図面の簡単な説明】
【図１】本発明の実施の一形態を示し、（ａ）はパーソナルネットワークカメラの第一回路基板の平面図、（ｂ）は第二回路基板の平面図である。
【図２】第一回路基板へのＣＭＯＳカメラモジュールの取付け手段を示す斜視図。
【図３】第一回路基板と第二回路基板を接続した状態の正面図。
【図４】パーソナルネットワークカメラの筐体の内面図。
【符号の説明】
１　　　　　　第一回路基板
２　　　　　　第二回路基板
３　　　　　　基板対基板接続コネクタ
３ａ　　　　　ソケット
３ｂ　　　　　プラグ
４　　　　　　基板対基板接続コネクタ
４ａ　　　　　ソケット
４ｂ　　　　　プラグ
５　　　　　　スペーサ
５ａ，　５ｂ　スナップロック爪
６　　　　　　垂直接続型基板対基板接続コネクタ
６ａ　　　　　ソケット
６ｂ　　　　　プラグ
７　　　　　　ＣＭＯＳカメラモジュール
８　　　　　　ネジ穴
９　　　　　　筐体
１０　　　　　ボス
１１　　　　　基板位置決めピン
１２　　　　　ピン穴
【図１】
2004127644.tif 000003
【図２】
2004127644.tif 000004
【図３】
2004127644.tif 000005
【図４】
2004127644.tif 000006